(57)【要約】【課題】小口径で、歪みのない低音と、入力信号に忠実な音を再生することができるスピーカを得る。【解決手段】スピーカ装置２０に取り付けられたスピーカ３０は、コーン状の振動板４２を含む。振動板４２の大径側の端部に、円筒状の壁部材５４の一端側を固定する。壁部材５４の内壁は、振動板４２の振動方向に平行となるように形成される。ボイスコイル５２に音声信号を入力することにより、振動板４２は、壁部材５４とともに、キャビネット２２の一面２２ａに略直交する向きに振動する。それにより、振動板４２の前面の空気が圧縮され、圧縮された空気が開放されることにより、その衝撃が伝播して音として感知される。このとき、壁部材５４によって、圧縮された空気が振動板４２の前面から側方に流出することが防止される。【選択図】図２
2006333511.tif 000002
【特許請求の範囲】
【請求項１】
面に対して交差する方向に振動することにより振動方向に向かって音波を放射する振動板と、
前記振動板の音波放射側において、前記振動板の音波放射側を取り囲むように枠状に配置される壁部材を含み、
前記壁部材と前記振動板とは固定されてなり、前記振動板の振動とともに前記壁部材も振動することを特徴とする、スピーカ。
【請求項２】
前記壁部材の内壁面は、前記振動板の振動方向と略平行に構成されることを特徴とする、請求項１に記載のスピーカ。
【請求項３】
前記壁部材は、前記振動板の音波放射面の外周と略同形状の断面を有することを特徴とする、請求項１または請求項２に記載のスピーカ。
【請求項４】
前記壁部材は、前記振動板の中心を基準として同心円状に複数配置されることを特徴とする、請求項１ないし請求項３のいずれかに記載のスピーカ。
【請求項５】
前記壁部材の壁面の高さは、前記振動板の最大振幅とほぼ同程度に構成される、請求項１ないし請求項４のいずれかに記載のスピーカ。
【請求項６】
面に対して交差する方向に振動することにより振動方向に向かって音波を放射する振動板と、
前記振動板の音波放射側に並列して連結して配置され、前記振動板の振動方向に平行な内壁面を有する複数の筒状体を含み、
前記筒状体と前記振動板とは固定されてなり、前記振動板の振動とともに前記筒状体も振動することを特徴とする、スピーカ。
【請求項７】
前記筒状体の高さは、前記振動板の最大振幅とほぼ同程度に構成される、請求項６に記載のスピーカ。
【発明の詳細な説明】
【技術分野】
【０００１】
この発明は、スピーカに関し、特に、ボイスコイルを用いたダイナミック型スピーカや電磁スピーカなどのように、振動板を振動させることにより音波を放射するスピーカに関する。
【背景技術】
【０００２】
図１０は、従来のスピーカ装置の一例を示す斜視図である。スピーカ装置１は、キャビネット２を含む。キャビネット２の前面板には、低音スピーカ３、高音スピーカ４、中音スピーカ５などが取り付けられる。これらのスピーカ３，４，５の振動板が振動することにより、それぞれの周波数領域において音波が放射される。
【０００３】
たとえば、低音スピーカ３は、図１１に示すように、ボイスコイル（図示せず）によって往復振動させられるコーン状の振動板６を含む。振動板６の内側の底部は、ダンパー７を介してフレーム８に連結され、振動板６の大径側の端部は、コーンエッジ９を介してフレーム８に連結される。キャビネット２の前面板から内側に向かってダクト１０が形成され、キャビネット２の内側において、ダクト１０に低音スピーカ３が取り付けられる（特許文献１参照）。
【０００４】
このようなスピーカ装置１では、低音スピーカ３の振動板６が振動することにより、ダクト１０内の空気も振動し、ダクト１０が共鳴して、ダクト１０の開口部からダクト１０の共鳴で補われた低音が再生される。
【０００５】
また、他の従来のスピーカとして特許文献２〜５に挙げたようなものもある。
【０００６】
【特許文献１】特開２００２−２３２９８４号公報
【特許文献２】特開平９−１６３４９０号公報
【特許文献３】昭和５６年実用新案登録願第１６９７７４号のマイクロフィルム（実開昭５８−７３６９４号）
【特許文献４】特開２００１−９５０７９号公報
【特許文献５】昭和６２年実用新案登録願第１３６６５８号のマイクロフィルム（実開昭６４−４０９９４号）
【発明の開示】
【発明が解決しようとする課題】
【０００７】
しかしながら、このような従来のスピーカでは、低音を再生させるために大口径となり、ダクトによる共鳴を利用するため、音に歪みが生じるという問題がある。
【０００８】
それゆえに、この発明の主たる目的は、小口径で、歪みのない低音を再生することができるスピーカを提供することである。
【課題を解決するための手段】
【０００９】
この発明は、面に対して交差する方向に振動することにより振動方向に向かって音波を放射する振動板と、振動板の音波放射側において、振動板の音波放射側を取り囲むように枠状に配置される壁部材を含み、壁部材と振動板とは固定されてなり、振動板の振動とともに前記壁部材も振動することを特徴とする、スピーカである。
このようなスピーカにおいて、壁部材の内壁面は、振動板の振動方向と略平行に構成されることが好ましい。
さらに、壁部材は、振動板の音波放射面の外周と略同形状の断面を有するようにすることができる。
また、壁部材は、振動板の中心を基準として同心円状に複数配置されてもよい。
さらに、壁部材の壁面の高さは、振動板の最大振幅とほぼ同程度に構成されることが好ましい。
また、この発明は、面に対して交差する方向に振動することにより振動方向に向かって音波を放射する振動板と、振動板の音波放射側に並列して連結して配置され、振動板の振動方向に平行な内壁面を有する複数の筒状体を含み、筒状体と振動板とは固定されてなり、振動板の振動とともに筒状体も振動することを特徴とする、スピーカである。
このようなスピーカにおいて、筒状体の高さは、振動板の最大振幅とほぼ同程度に構成されることが好ましい。
【００１０】
本発明者は、音の発音（発生）原理として、振動板の振動がそのまま音波になるのではなく、振動板の振動により振動板の音波放射面の空気が一瞬圧縮され、その直後に圧縮された空気が一気に開放される、すなわち膨張（爆発）することにより発生する衝撃が伝播して音として感知されることを知見した。そこで、本発明では、振動板の音波放射側において、振動板の音波放射側を取り囲むように枠状に配置されるように振動板に固定した壁部材を備え、振動板の振動とともに壁部材も振動する構造としたスピーカとすることにより、振動板の振動により圧縮された空気が振動板の音波放射面（前面）から側方に漏れるように流出する事が防止される。これにより、振動板の振動量（振幅）に対応した圧縮率の空気が、効率よく音波放射面側（前方）に開放され、小口径の振動板であっても効率よく低音を放射させることができる。また、低音のみならず、中高音についても効率よく音波が放射されることになる。なお、壁部材は、共鳴のためのものではないことから共鳴用のダクトのように長い距離を必要とせず、振動板の最大振幅と同程度であればよく、したがって、共鳴などによる音の歪みは発生せず、再生音源に忠実な高音質を得ることができる。
このように、振動板によって圧縮された空気が振動板の音波放射面から側方に流出しないようにするために、振動板の音波放射側に、振動板とともに振動する壁部材が形成される。
また、振動板の音波放射面で捕捉した空気が流出しないために、壁部材は、振動板の音波放射面を取り囲むような枠状に形成されることが好ましい。
特に、振動板の音波放射面の外周と略同形状の断面を有する壁部材を用いることにより、振動板の音波放射面の全面の空気を捕捉することができる。
さらに、振動板の外周部分だけでなく、その内側部分を壁部材で複数の区画に区切ってもよい。たとえば、振動板の外周と相似形状の断面を有する壁部材を振動板の中心を基準として同心円状に配置することができる。
このように、振動板の音波放射側を複数の区画に区切ることにより、壁部材で囲まれた部分の面積が小さくなり、壁部材の内側において空気が流動することなく捕捉され、より正確な音の再生が可能となる。さらに、壁部材がリブとしての効果を発揮することにより、振動板の剛性が高くなり、振動板の波打ちなどの変形を防止することができるため、正確な音の再生が可能となる。
このようなスピーカにおいて、振動板の振動によって圧縮される空気を音波放射面から逃がさないために、壁部材の高さは、振動板の最大振幅とほぼ同程度に形成されることが好ましい。
さらに、振動板の音波放射側を複数の区画に区切るために、ハニカム状などのような複数の筒状体を並列に連結した壁部材を振動板の音波放射面に形成してもよい。
このようなスピーカにおいても、振動板の振動によって圧縮される空気を音波放射面から逃がさないために、筒状体の高さは、振動板の最大振幅とほぼ同程度に形成されることが好ましい。
【発明の効果】
【００１１】
この発明によれば、低音域から高音域のすべての音域にわたって入力信号に忠実な音を再生することができ、特に低音域を小口径でも再生することができるスピーカを得ることができる。
【００１２】
この発明の上述の目的，その他の目的，特徴および利点は、図面を参照して行う以下の発明を実施するための最良の形態の説明から一層明らかとなろう。
【発明を実施するための最良の形態】
【００１３】
図１は、この発明のスピーカを用いたスピーカ装置の一例を示す斜視図である。スピーカ装置２０は、キャビネット２２を含む。キャビネット２２は、たとえば直方体の箱状に形成され、その一面２２ａにたとえば円形の開口部が形成される。
【００１４】
キャビネット２２の内側には、図２に示すように、開口部に向かってスピーカ３０が取り付けられる。スピーカ３０は、永久磁石３２を有し、永久磁石３２の一端は、ヨーク３４内の底面に取り付けられる。ヨーク３４は、磁性材料を用いて、永久磁石３２を取り囲むように形成される。さらに、永久磁石３２の他端側において、ヨーク３４に円形の孔３６が形成される。永久磁石３２の他端には、円柱状のセンターポール３８が取り付けられ、このセンターポール３８がヨーク３４の孔３６の内側に延びるように形成される。それにより、孔３６の内側において、ヨーク３４とセンターポール３８との間に、円環状の空隙が形成される。このような構造とすることにより、ヨーク３４とセンターポール３８の間における円環状の空隙に、磁界が印加される。
【００１５】
孔３６の周囲におけるヨーク３４の外側には、テーパ状に広がるフレーム４０が取り付けられ、フレーム４０の内側に、振動板４２が配置される。振動板４２は、紙などによってコーン状に形成され、小径側の端部がヨーク３４とセンターポール３８の間の空隙内に挿入される。振動板４２の大径側の端部は、湾曲したコーンエッジ４４に接続され、コーンエッジ４４の端部がフレーム４０の端部と矢紙４６とで挟まれて固定される。さらに、振動板４２の外側の中間部が、ダンパー４８を介してフレーム４０に連結される。また、振動板４２の中央部の貫通部分を覆うように、たとえば球面の一部の形状を有するキャップ５０が取り付けられる。
【００１６】
また、ヨーク３４とセンターポール３８との間の空隙部分において、振動板４２にボイスコイル５２が固着される。このボイスコイル５２に音声信号が入力されることにより、振動板４２は、コーンエッジ４４に接続された大径側端部を覆う平面に対して直交する向きに振動する。さらに、図３に示すように、振動板４２の大径側端部、つまり振動板４２の外周部には、振動板４２の外周部と同じ断面形状を有する枠状の壁部材５４が取り付けられる。ここで、図３に示すようなコーン状の振動板４２が用いられる場合には、円筒状の壁部材５４が取り付けられる。
【００１７】
壁部材５４は、少なくとも内側の壁面が、振動板４２の振動方向に対して平行となるように形成される。また、振動板４２からの壁部材５４の高さは、振動板４２の最大振幅と同程度となるように形成される。壁部材５４の材料としては、軽くて丈夫なものが好ましく、振動板４２と同じ材料で形成することができ、そのほか、紙、樹脂、ゴム、木、金属など、特に限定されるものではない。この円筒状の壁部材５４の一端が、振動板４２の外周部に固定される。このスピーカ３０のフレーム４０の外周部が、キャビネット２２の一面２２ａの開口部が形成された部分に取り付けられる。
【００１８】
このスピーカ装置２０では、ボイスコイル５２に音声信号を入力することにより、キャビネット２２の一面２２ａに交差する向きに振動板４２が振動し、その振動方向に向かって音波が放射される。このとき、図４に示すように、壁部材５４とともに振動板４２が音波放射側すなわち前方に移動することにより、振動板４２の前面の空気が圧縮され、圧縮された空気が壁部材５４の開口部側から開放されて、その衝撃が伝播することにより音として感知される。このように、振動板４２の振動によって空気が圧縮されるとき、振動板４２の外周部に壁部材５４が形成されていることにより、図４に点線の矢印で示すように、圧縮された空気が振動板４２の前面から側方に流出することが防止される。そのため、振動板４２の前面の空気を確実に捕捉して圧縮し、圧縮した空気を効率よく前方に開放させることができる。したがって、低音域から高音域にわたって入力信号に忠実な音を再生することができ、特に低音域を小口径でも再生することができるスピーカを得ることができる。
【００１９】
それに対して、振動板４２の外周部に壁部材が形成されていない場合、図５に実線の矢印で示すように、振動板４２の振動により押された空気が、振動板４２の前面から側方に流出してしまう。そのため、振動板４２の前面の空気を効率よく圧縮することができず、低音を再生しようとすれば、空気の流出距離を長くした大口径の振動板４２を用いる必要があり、入力信号に忠実な音は望めない。
【００２０】
なお、図１１に示す従来のスピーカ装置１において、低音スピーカ３の前方にダクト１０が形成されているが、低音スピーカ３の振動板６とダクト１０とは固定されておらず、振動板６とダクト１０との隙間から空気が流出するため、壁部材５４を設けた振動板４２を用いたスピーカ３０のような効果を得ることはできない。また、ダクト１０は低音を得るための共鳴用として用いられるものであり、共鳴によって音に歪みが生じるという問題がある。しかしながら、この発明のスピーカ３０では、壁部材５４の高さは、振動板４２の最大振幅と同程度であって、共鳴が生じるようなものではなく、歪みのない音を得ることができる。なお、壁部材５４の高さは、振動板４２の最大振幅以下であっても、圧縮された空気の流出を防止するという効果を得ることができるが、振動板４２の前面にある空気を全て捕捉するためには、振動板４２の最大振幅と同程度の高さとすることが好ましい。もちろん、振動板４２の前面の空気を捕捉するためには、振動板４２の振動の妨げとならない範囲で、振動板４２の最大振幅以上の高さとなるような壁部材５４を形成してもよい。
【００２１】
また、図６および図７に示すように、振動板４２の外周形状と相似形の断面形状を有する複数の枠状の壁部材５４を用いて、複数の区画に区切ることができる。これらの壁部材５４は、振動板４２の中心を基準として、同心円状に配置される。これらの壁部材５４は、いずれも振動板４２の最大振幅と同程度の高さとなるように形成される。振動板が移動する最大距離と同じ高さの壁部材５４を形成すれば、振動板５４の振動によって空気を確実に捕捉して、空気を圧縮・開放することができる。
【００２２】
このような壁部材５４を有する振動板４２を用いれば、振動板４２の外周部のみに壁部材５４を設けた場合に比べて、壁部材５４で囲まれた部分の面積が小さくなるため、振動板４２の振動により捕捉した空気が流動しにくくなる。そのため、振動板４２の前面の空気をそのまま圧縮して開放することができ、歪みのない音を再現することができる。さらに、振動板４２の面上に形成された壁部材５４がリブとしての効果を発揮し、振動板４２の剛性が高くなる。そのため、振動板４２の波打ちなどのような変形が発生しにくくなり、音源に忠実な音の再生が可能となる。
【００２３】
このように、壁部材５４で囲まれた部分の面積を小さくし、リブとしての効果も発揮させるために、筒状体を並列に連結した壁部材５４を用いてもよい。このような壁部材５４としては、図８および図９に示すように、６角筒が並列に連結されたハニカム状の壁部材５４を用いることができる。この壁部材５４も、振動板４２の最大振幅と同程度の高さとなるように形成される。この壁部材５４は、振動板４２の外周部とキャップ５０の外周部との間に設けられる。なお、筒状体の形状としては、６角筒状に限らず、４角筒状や円筒状など、他の形状であってもよい。
【００２４】
このように、振動板４２に壁部材５４を設けることにより、振動板４２の振動による空気の圧縮効率を高めることができ、小口径の振動板４２を有するスピーカ３０であっても、歪みのない低音を再生することができる。
【００２５】
なお、壁部材は、振動板の外周と同形状に作るのが好ましいが、振動板の外周が円である場合に壁部材を４角形状などの他の形状に形成しても、本発明の効果を奏するものである。
また、壁部材の内壁は振動板の振動方向と平行にすることが好ましいが、振動板の振動方向と交差するように、つまりやや内側に向けるようにしてもよい。
【００２６】
また、この発明は、コーン状の振動板に関して、コーン状の変形型である朝顔状のように、音波放射方向に漸近的に広がる振動板を用いたスピーカにも適用可能である。この場合、朝顔状の振動板の先端部に壁部材を設けることになり、振動板の先端部は振動板の振動方向とほぼ垂直な面となっており、壁部材を振動方向とほぼ平行に配置することにより、振動板の端部の面とほぼ垂直に壁部材が配置されることとなる。なお、この場合においても、壁部材を、振動方向と交差するようにやや内側、すなわちスピーカ中央側に傾けるように配置してもよい。
【００２７】
この発明は、コーン状の振動板を有するスピーカに限らず、平板状の振動板を有するスピーカにも適用することができる。したがって、図８および図９に示す壁部材は、キャップの周囲の振動板の表面に形成されたが、平板状の振動板を用いる場合には、その全面に壁部材を形成することができる。
【００２８】
また、平板状の振動板を用いる場合、その平面形状は円形だけでなく、４角形などの他の形状にすることもできる。このように、４角形の振動板を用いる場合、振動板の外周部に形成される壁部材は、振動板の形状に合わせて、４角筒状に形成される。また、相似形の４角筒状の壁部材を用いる場合、振動板の中心を基準として、同心状に壁部材が配置される。このように、振動板の外周部に壁部材を設ける場合や、同心状に壁部材を設ける場合においては、壁部材の形状として、振動板の外周形状と同じ形状またはそれと相似形の断面を有する筒状に形成される。このような壁部材は、１つの平面に対して交差する向きに振動する振動板を有する全てのスピーカに適用可能である。
【図面の簡単な説明】
【００２９】
【図１】この発明のスピーカを用いたスピーカ装置の一例を示す斜視図である。
【図２】図１に示すスピーカ装置の構造を示す図解図である。
【図３】図２に示すスピーカ装置に用いられるスピーカの振動板と壁部材とを示す図解図である。
【図４】図３に示す振動板の振動と空気の圧縮との関係を示す図解図である。
【図５】本発明と比較するための従来の振動板の振動と空気の圧縮との関係を示す図解図である。
【図６】この発明のスピーカに用いられる振動板と壁部材の他の例を示す図解図である。
【図７】図６に示す振動板と壁部材とを用いたスピーカの構造を示す図解図である。
【図８】この発明のスピーカに用いられる壁部材のさらに他の例を示す平面図である。
【図９】図８に示す壁部材を取り付けた振動板を示す図解図である。
【図１０】従来のスピーカを用いたスピーカ装置の一例を示す斜視図である。
【図１１】図１０に用いられる従来のスピーカの一例を示す図解図である。
【符号の説明】
【００３０】
２０  スピーカ装置
３０  スピーカ
４０  フレーム
４２  振動板
４４  コーンエッジ
５０  キャップ
５４  壁部材
【図１】
2006333511.tif 000003
【図２】
2006333511.tif 000004
【図３】
2006333511.tif 000005
【図４】
2006333511.tif 000006
【図５】
2006333511.tif 000007
【図６】
2006333511.tif 000008
【図７】
2006333511.tif 000009
【図８】
2006333511.tif 000010
【図９】
2006333511.tif 000011
【図１０】
2006333511.tif 000012
【図１１】
2006333511.tif 000013